(57)【要約】      （修正有）【課題】美的外観の選択範囲や服飾品の用途を拡げ、内径は着用者の服飾品嵌合個所に適した寸法に調整可能にする服飾品を提供する。【解決手段】素材は、織物、編物、織布、不織布、革や紙などの服飾素材にし、服飾素材は筒状体にし、筒状体は、一端の開口縁側を他端の開口縁側に折り返して二重にし、一端の開口縁２と他端の開口縁３は、一方を他方に対して中心軸の回りに捩り、その捩れ状態で連結して、捩れ二重筒状体６、７にし、捩れ二重筒状体は、着用者の一部に嵌合する服飾品にした。服飾品の捩れ二重筒状体は、周方向に紐通路１１を設け、紐通路１１に紐１５を通し、輪にした紐で捩れ二重筒状体の内径を縮小する構成にし、捩れ二重筒状体の紐通路１１個所の内径を紐の輪の周囲の長さ調整で着用者の服飾品嵌合個所の寸法に適した寸法にする内径調整機構を設けた。【選択図】図４
0003147851.tif 000002
【実用新案登録請求の範囲】
【請求項１】
素材は、織物、編物、織布、不織布、革や紙などの服飾素材にし、
服飾素材は、筒状体にし、筒状体は、一端の開口縁側を他端の開口縁側に折り返して二重にし、一端の開口縁と他端の開口縁は、一方を他方に対して中心軸の回りに捩り、その捩れ状態で連結して、捩れ二重筒状体にし、捩れ二重筒状体は、着用者の一部に嵌合する服飾品にし、
服飾品の捩れ二重筒状体は、周方向に紐通路を設け、紐通路に紐を通し、輪にした紐で捩れ二重筒状体の内径を縮小する構成にし、捩れ二重筒状体の紐通路個所の内径を紐の輪の周囲の長さ調整で着用者の服飾品嵌合個所の寸法に適した寸法にする内径調整機構を設けたことを特徴とする服飾品。
【請求項２】
紐通路は、捩れ状態で連結した一端の開口縁と他端の開口縁に隣接して形成し、
紐は、有端にし、弾性紐にしたことを特徴とする請求項１に記載の服飾品。
【考案の詳細な説明】
【技術分野】
【０００１】
本考案は、帽子、襟巻、ヘッドスカーフ、レッグカバーやスカートなどになる捩れ二重筒状体構造の服飾品に関する。
【背景技術】
【０００２】
特許文献１に開示された多用途衣料品は、毛糸や綿糸を筒状に編み上げて、伸縮性のある編物の筒状体にする。この筒状体は、一端の開口縁側を他端の開口縁側に折り返して、二重にする。そして、一端の開口縁と他端の開口縁は、一方を他方に対して中心軸の回りに捩り、その捩れ状態で縫い合わせる。捩れ二重筒状体の構造にする。
【０００３】
この多用途衣料品は、帽子として用いるときには、捩れ二重筒状体は、縫い合わせ端側の開口部を拡げ、捩れ部分を折り返し端側に集める。すると、折り返し端側の開口部は、すぼまり、開口が小径になる。捩れ二重筒状体は、キャップの形態になる。このキャップ形態は、頂上の開口縁から螺旋状に伸びる襞が生じる。美麗なドレープが形成される。この形態で、縫い合わせ端側の開口部から着用者の頭に被せる。キャップ形態にした捩れ二重筒状体は、頭に嵌合する。
【０００４】
ネックウォーマー又はイヤーバンドとして用いるときには、捩れ二重筒状体は、縫い合わせ端側の開口部と折り返し端側の開口部の内径をほぼ同じにし、捩れ部分を拡散する。そして、中心軸方向の長さを短くする。円環の形態にする。この形態で、着用者の首又は頭の耳覆い位置に嵌合する。
【０００５】
【特許文献１】登録実用新案第３１３９１２６号公報
【考案の開示】
【考案が解決しようとする課題】
【０００６】
［課  題］
上記の多用途衣料品は、捩れ二重筒状体の素材が伸縮性のある編物である。そのため、外観や質感が伸縮性のある編物のそれに制限される。美的外観の選択範囲が狭い。また、用途が伸縮性のある編物のそれに制限される。
【０００７】
更に、多用途衣料品の捩れ二重筒状体は、編物の伸縮により内径が増減するが、内径を各用途に最適の寸法に変更する構成や、着用者の身体に留めて置く構成がない。そのため、用途が制限される。
【０００８】
多用途衣料品は、帽子として最適の寸法に製作すると、他の用途には、最適の寸法にはなり難い。ネックウォーマーやイヤーバンドとしては、緩かったり、きつかったりすることがある。使用し易いものにはなり難い。
【０００９】
［課題を解決するための着想］
捩れ二重筒状体は、美的外観の選択範囲や用途を拡げるため、素材を、伸縮性のある編物に限定せず、服飾品に用いられる各種の素材、服飾素材にすることにした。服飾素材には、織物、編物、織布、不織布、革や紙などが例示される。
【００１０】
また、捩れ二重筒状体は、内径の増減範囲を拡げるため、内径調整機構を設けることにした。内径調整機構は、捩れ二重筒状体の周方向に紐通路を設け、紐通路に紐を通し、紐で捩れ二重筒状体の内径を縮小する構成にする。紐は、輪にし、輪の周囲の長さを調整する。捩れ二重筒状体は、紐通路個所の内径を紐で所望の寸法にする。紐通路個所の内径は、服飾品の各用途に最適の寸法や、着用者の服飾品嵌合個所に留めて置く寸法にすることができる。各着用者の服飾品嵌合個所の寸法に適した寸法にすることができる。
【００１１】
上記の服飾素材中には、伸縮性の低い素材もある。捩れ二重筒状体は、素材の伸縮性が低いと、素材の伸縮による内径の増減範囲が狭いが、紐による内径調整機構によって内径を所望の寸法に調整することができる。換言すると、捩れ二重筒状体は、紐による内径調整機構を設けることにより、伸縮性の低い素材も使用可能になる。
【００１２】
このような捩れ二重筒状構造は、帽子、襟巻、ヘッドスカーフ、レッグカバーやスカートなどの服飾品として用いられる。用途が広くなる。
【課題を解決するための手段】
【００１３】
１）素材は、織物、編物、織布、不織布、革や紙などの服飾素材にし、
服飾素材は、筒状体にし、筒状体は、一端の開口縁側を他端の開口縁側に折り返して二重にし、一端の開口縁と他端の開口縁は、一方を他方に対して中心軸の回りに捩り、その捩れ状態で連結して、捩れ二重筒状体にし、捩れ二重筒状体は、着用者の一部に嵌合する服飾品にし、
服飾品の捩れ二重筒状体は、周方向に紐通路を設け、紐通路に紐を通し、輪にした紐で捩れ二重筒状体の内径を縮小する構成にし、捩れ二重筒状体の紐通路個所の内径を紐の輪の周囲の長さ調整で着用者の服飾品嵌合個所の寸法に適した寸法にする内径調整機構を設けたことを特徴とする服飾品。
２）上記の服飾品において、
紐通路は、捩れ状態で連結した一端の開口縁と他端の開口縁に隣接して形成し、
紐は、有端にし、弾性紐にしたことを特徴とする。
【考案の効果】
【００１４】
美的外観の選択範囲や服飾品の用途が広い。
紐通路個所の内径は、服飾品の用途に適した寸法や、人体の服飾品嵌合個所に留めて置く寸法にすることができる。着用者の服飾品嵌合個所に適した寸法にすることができる。
【考案を実施するための最良の形態】
【００１５】
実施形態の服飾品は、服飾素材として織物の布を用い、内径調整機構付きの捩れ二重筒状体の構造にしている。
捩れ二重筒状体の製造法と構造は、次のようにしている。
織物の布は、長方形に裁断し、一対の向い合う側辺を重ねて糸で縫い合わせて連結する。筒状体にする。この筒状体１は、図１に示すように、一重であり、上下の一端２と他端３を開口にし、連結した側辺４を外側に配置している。
【００１６】
この筒状体１は、図２に示すように、一端２の開口縁側を外側から他端３の開口縁側に、他端３の開口縁側を外側から一端２の開口縁側にそれぞれ折り返す。内筒部６と外筒部７の二重にする。そして、一端２の開口縁と他端３の開口縁は、図２に矢印で示すように、一方を他方に対して中心軸の回りに捩る。捩る角度は、半回転位にする。その捩れ状態で、両端２、３の開口縁は、糸で縫い合わせて連結する。捩れ二重筒状体にする。連結した側辺４は、捩れ二重筒状体の内筒部６と外筒部７の間に位置することになる。
【００１７】
ここで、両端２、３の開口縁を縫い合わせて連結する際、両端２、３の開口縁の間に、紐通路を形成する帯状の布１１を介在する。帯状の布１１は、図３に示すように、長手方向に沿う中心線付近で折り曲げ、二つ折りにする。布１１の幅方向の両側の側辺を重ねる。布１１の重なった側辺は、図４と図５に示すように、筒状体の両端２、３の側辺に挟む。筒状体の一端２の側辺、布１１の重なった側辺と筒状体の他端３の側辺は、積層状態にし、糸１２で縫い合わせて連結する。この連結した積層側辺は、捩れ二重筒状体の内筒部６と外筒部７の間に配置する。布１１の長手方向の両端は、間隔を置いて向かい合わせる。
【００１８】
布１１の折り曲げ側は、捩れ二重筒状体６、７の外周に突出し、紐通路１３を形成している。紐通路１３は、捩れ二重筒状体６、７を周方向に一回転弱回り、連結した両端２、３の開口縁に隣接している。布１１の長手方向の両端の間には、紐通路の出入口１４を形成している。紐通路１３には、ゴム紐のような弾性紐１５を通す。有端の弾性紐１５は、両端を出入口１４から外側に出す。弾性紐１５と紐通路１３で、捩れ二重筒状体６、７の内径調整機構を構成にしている。弾性紐１５は、両端を結んで輪にし、輪にした弾性紐１５で、捩れ二重筒状体６、７の内径を縮小する構成にしている。
【００１９】
この服飾品は、帽子として用いるときには、次のようにする。弾性紐１５は、両端を結んで輪にし、輪の周囲の長さを調整して、捩れ二重筒状体の紐通路１３、弾性紐１５個所の内径を、着用者の頭の横周り寸法に適した寸法にする。捩れ二重筒状体は、図４に示すように、紐通路１３が外周側にあれば、内外を逆にする。紐通路１３のある外筒部７を内筒部にし、内筒部６を外筒部にする。紐通路１３は、内周側に移動する。内周側の紐通路１３は、捩れ二重筒状体の下端の開口部に配置する。そして、捩れ二重筒状体は、下端の開口部を拡げ、捩れ部分を上端側に集める。すると、上端の開口部は、開口が縮小する。捩れ二重筒状体は、図６に示すように、上下方向が長いキャップの形態、コックの帽子のような形態になる。この形態で、頭に被せ、帽子として使用する。捩れ二重筒状体の下端開口部の紐通路１３、弾性紐１５個所は、頭に嵌合する。
【００２０】
又は、上下方向が長いキャップ形態は、図７に示すように、下端の開口縁を外側から上側に折り返す。上下方向を短くしたキャップ形態にする。この形態で、頭に被せ、帽子として使用する。捩れ二重筒状体の下端開口部の紐通路１３、弾性紐１５個所は、頭に嵌合する。
【００２１】
襟巻又はスカーフとして用いるときには、捩れ二重筒状体の紐通路１３、弾性紐１５個所の内径は、着用者の首の寸法に適した寸法にする。捩れ二重筒状体は、両端の開口部の内径をほぼ同じにし、捩れ部分を拡散する。円筒の形態にする。そして、中心軸方向の長さを短くする。円環の形態にする。円環形態で、着用者の首に嵌合する。服飾素材の織物布をフリースのように保温性の高い布にすると、襟巻になる。オーガンジーのように薄手の布にすると、スカーフになる。
【００２２】
図８に示すように、ヘッドスカーフとして用いるときには、捩れ二重筒状体は、紐通路１３を上端の開口部の内周側に配置し、紐通路１３、弾性紐１５個所の内径を着用者の頭の縦周り寸法に適した寸法にする。そして、捩れ二重筒状体は、円筒の形態にし、着用者の頭から首に嵌合し、上端の開口部で頭の後部を覆い、下端の開口部で首を覆う。上端の開口部は、紐通路１３、弾性紐１５個所で着用者の頭に留めて置く。ずれ落ち難い。
【００２３】
図９に示すように、レッグカバーとして用いるときには、捩れ二重筒状体は、紐通路１３を上端の開口部の内周側に配置し、紐通路１３、弾性紐１５個所の内径を着用者の脚の膝下側寸法に適した寸法、留め置き寸法にする。そして、捩れ二重筒状体は、円筒の形態にし、着用者の脚の脛部分に嵌合し、紐通路１３、弾性紐１５個所で着用者の脚に留めて置く。ずれ落ち難い。服飾素材の織物布を保温性の高い布にすると、レッグカバーは、レッグウォーマーになる。
【００２４】
レッグカバーを脚の腿部分に嵌合するときには、捩れ二重筒状体は、紐通路１３、弾性紐１５個所の内径を、着用者の脚の腿部に留めて置く寸法にする。アームカバーとして用いるときには、捩れ二重筒状体は、紐通路１３、弾性紐１５個所の内径を、着用者の腕に留めて置く寸法にする。
【００２５】
図１０に示すように、スカートとして用いるときには、捩れ二重筒状体は、紐通路１３を上端の開口縁に配置し、紐通路１３、弾性紐１５個所の内径を着用者の腰の寸法に適した寸法、留め置き寸法にする。そして、捩れ二重筒状体は、円筒の形態にし、着用者の腰下側部分に嵌合し、上端開口縁の紐通路１３、弾性紐１５個所で着用者の腰に留めて置く。
【００２６】
［変形例］
１）上記の実施形態において、紐通路１３は、連続した通路構造にしているが、断続した通路構造にする。
２）上記の実施形態において、紐通路１３は、連結した両端２、３の開口縁に隣接しているが、両端２、３の開口縁から離れた位置にする。
３）上記の実施形態において、紐１５は、ゴム紐のような伸縮性の高い弾性紐にしているが、布紐のような伸縮性の低い非弾性紐にする。
４）上記の実施形態において、紐１５は、有端にしているが、無端にする、輪にする。
【図面の簡単な説明】
【００２７】
【図１】本考案の実施形態における一重の筒状体の中間省略斜視図。
【図２】同筒状体を捩れ二重筒状体にする途中の状態を示す斜視図。
【図３】同実施形態における紐通路形成用布の中間省略斜視図。
【図４】同実施形態における捩れ二重筒状体の服飾品の斜視図。
【図５】同捩れ二重筒状体の服飾品の紐通路部分の縦断拡大図。
【図６】同服飾品の帽子用形態の斜視図。
【図７】同服飾品の他の帽子用形態の斜視図。
【図８】同服飾品のヘッドスカーフ用形態の斜視図。
【図９】同服飾品のレッグカバー用形態の斜視図。
【図１０】同服飾品のスカート用形態の正面図。
【符号の説明】
【００２８】
１  筒状体、一重の筒状体
２  筒状体の一端、上端
３  筒状体の他端、下端
４  筒状体の連結した側辺
６  内筒部
７  外筒部
１１  帯状の布、紐通路形成用布
１２  糸
１３  紐通路
１４  紐通路の出入口
１５  ゴム紐、弾性紐、有端の弾性紐
【図１】
0003147851.tif 000003
【図２】
0003147851.tif 000004
【図３】
0003147851.tif 000005
【図４】
0003147851.tif 000006
【図５】
0003147851.tif 000007
【図６】
0003147851.tif 000008
【図７】
0003147851.tif 000009
【図８】
0003147851.tif 000010
【図９】
0003147851.tif 000011
【図１０】
0003147851.tif 000012